(57)【特許請求の範囲】
【請求項１】
無線基地局を介してＰＨＳ端末を内線として収容する構内交換システムにおいて、前記無線基地局の個々に対応して設定された固有の指定トーンを管理し記憶する第１のメモリと、保守端末からの設定により任意の組み合わせからなる前記無線基地局がカバーするエリアから構成される呼出エリアに固有の指定トーンを管理し記憶する第２のメモリとを備え、前記ＰＨＳ端末から所在確認の要求信号を受け付けた場合において、当該要求信号を受け付けた無線基地局が、前記第２のメモリにおいて呼出エリアを構成する無線基地局に指定されている場合には、前記第２のメモリから該当する呼出エリアに指定された指定トーンを読み出し、また呼出エリアを構成しない無線基地局の場合には、前記第１のメモリから該当する無線基地局に指定された指定トーンを読み出して、前記ＰＨＳ端末に対して読み出した当該指定トーンを送出することを特徴とする構内交換システム。
【発明の詳細な説明】
【０００１】
【発明の属する技術分野】
本発明は、ＰＨＳ端末（パーソナル・ハンディホン・システム）を内線として収容する構内交換機システムに関し、特にＰＨＳ端末の所在エリアを確認する方法及びシステムに関する。
【０００２】
【従来の技術】
内線端末としてＰＨＳ端末を収容した構内交換機（以下、ＰＢＸという。）においては、随時、ＰＨＳ端末と無線基地局（以下、ＣＳという。）との間で無線送受信が行われ、構内交換機のメモリにてＰＨＳの位置情報を管理している。
【０００３】
構内交換機は、このメモリを使用してＰＨＳ端末へ特定のＣＳへ移動したことを通知する手段が知られている。
【０００４】
例えば、特開平１０−５１８５７号公報には、ＰＨＳ端末が目的のＣＳへ到着した場合に、ＰＢＸにてＰＨＳ端末と特定電話機に自動的に発呼して接続し、ＰＨＳ端末を呼び出しその特定エリアに固有の情報を聞かせる技術が開示されている。また、特開平９−１２１３７３号公報には、ＰＨＳ端末が特定エリアに移動した場合に、ＰＢＸよりＰＨＳ端末を呼び出してその特定エリアに固有の情報を聞かせる技術が開示されている。
【０００５】
【発明が解決しようとする課題】
ＰＢＸを自営保守している会社を例にとると、各ＰＨＳ端末の操作者が使用しているＣＳや、複数のＣＳにて構成される広範な呼出エリアにおける接続試験が行えるシステムが望まれている。このような要望に対して上記公報では、ＰＢＸからの自動着信によりＰＨＳ端末にて位置確認を行えるものの、前記呼出エリア単位の位置確認を含むフレキシブルな接続試験には対応出来ないといった欠点を有する。
【０００６】
また、上述のＰＨＳ端末による位置確認は、ＰＢＸによる所在位置の通知に係る自動発信制御フローに基づく技術であり、ＰＨＳ端末使用者の意思に拘わらず当該制御フローが実行されるため、ＰＨＳ端末使用者にとってこの自動着信は煩わしい。また、実際のシステムに適用する場合を考えると、使用者の意思に基づかない自動着信は適用しにくいと考えられる。
【０００７】
そこで、本発明では、ＰＨＳ端末使用者の意思に基づき所在位置の確認が容易に行え、さらに、フレキシブルな接続試験にも対応できるようなＰＨＳ端末の所在位置の確認を可能とする構内交換システム及び確認方法の提供することを目的とする。
【０００８】
【課題を解決するための手段】
請求項１記載の発明によれば、無線基地局を介してＰＨＳ端末を内線として収容する構内交換システムにおいて前記ＰＨＳ端末の操作により構内交換機がカバーするエリアの所在位置を確認する方法であって、構内交換機は、前記ＰＨＳ端末から所在確認の要求信号を受け付けると、当該ダイヤルを受け付けた無線基地局に対応して設定された固有の指定トーンをメモリから読み出し、前記ＰＨＳ端末に対してこの指定トーンを送出することを特徴とするＰＨＳ端末による所在位置確認方法を得ることができる。
【０００９】
請求項２記載の発明によれば、複数の前記無線基地局で呼出エリアが構成されている場合において、その内の一の無線基地局にて前記所在確認の要求信号を受け付けた場合、当該エリアに対応して設定された固有の指定トーンを前記メモリから読み出し、この指定トーンをＰＨＳ端末へ送出することで位置情報を知らせることができる。
【００１０】
請求項３記載の発明によれば、無線基地局を介してＰＨＳ端末を内線として収容する構内交換システムにおいて、前記無線基地局の個々に対応して設定された固有の指定トーンを管理し記憶するメモリを備え、前記ＰＨＳ端末から所在確認の要求信号を受け付けると、当該ダイヤルを受け付けた無線基地局の識別番号に基づき前記メモリから対応して設定された固有の指定トーンを読み出し、前記ＰＨＳ端末に対してこの指定トーンを送出することを特徴とする構内交換システムを得ることができる。
【００１１】
また、請求項４記載の発明によれば、無線基地局を介してＰＨＳ端末を内線として収容する構内交換システムにおいて、前記無線基地局の個々に対応して設定された固有の指定トーンを管理し記憶する第１のメモリと、保守端末からの設定により任意の組み合わせからなる前記無線基地局がカバーするエリアから構成される呼出エリアに固有の指定トーンを管理し記憶する第２のメモリとを備え、前記ＰＨＳ端末から所在確認の要求信号を受け付けた場合において、当該要求信号を受け付けた無線基地局が、前記第２のメモリにおいて呼出エリアを構成する無線基地局に指定されている場合には、前記第２のメモリから該当する呼出エリアに指定された指定トーンを読み出し、また呼出エリアを構成しない無線基地局の場合には、前記第１のメモリから該当する無線基地局に指定された指定トーンを読み出して、前記ＰＨＳ端末に対して読み出した当該指定トーンを送出することを特徴とする構内交換システムを得ることができる。
【００１２】
上記指定トーンに代えて無線基地局に固有の音声メッセージを前記メモリにて記憶し、前記ＰＨＳ端末から所在位置の確認要求を受け付けた場合に受信した無線基地局に対応する音声メッセージを当該ＰＨＳ端末へ送出するようにしてもよい。
【００１３】
【発明の実施の形態】
本発明の実施の形態について図面を参照して詳細に説明する。図１は、本発明の一実施の形態を適用した構内交換システムであり、内線間あるいは外線との通話路を接続する通話路制御装置１と、構内交換システムの全体を制御する中央処理装置２と、後述する記憶内容を含む記憶装置３からなるＰＢＸに、ＣＳ４を介してＰＨＳ端末５を内線端末として収容する。保守端末６は、主に記憶装置３を管理するために設置されている。
【００１４】
ＣＳ４は、構内交換機がカバーするエリアに多数設置されており、設定に応じて複数のＣＳエリアからなる呼出エリアを構成し、システムにもよるが１つの呼出エリアには最大２５６台のＣＳを設置することができる。よって、狭い範囲での接続試験を指定する場合はＣＳを、広い範囲を指定した接続試験を行う場合には任意規模の呼出エリアを構成することができる。この呼出エリアの設定により後述するようなＰＨＳ端末使用者の所在位置を正確に確認したい場合と、おおよその位置確認の何れも容易に確認することができる。
【００１５】
記憶装置３は、エリア管理メモリ３０１と、エリア別ダイヤルトーンメモリ３０２と、ＣＳ別ダイヤルトーンメモリ３０３と、ＰＨＳ別ダイヤルトーンメモリ３０４と、移動先指定特番メモリ３０５とからなる。
【００１６】
メモリ３０１では、ＰＢＸに収容されるＣＳ毎に、ＣＳのそれぞれについて収容先の呼出エリアの番号と当該ＣＳの番号とを関連づけて管理する。すなわち、個々のＣＳ情報と任意に設定される呼出エリアとその規模がメモリ３０１に登録されることとなる。メモリ３０２では、構内交換システムに任意に設定される呼出エリア毎に異なるダイヤルトーンを指定する。メモリ３０３は、ＣＳ毎に異なるダイヤルトーンを指定する。メモリ３０４は、ＰＨＳ毎に移動先のＣＳ・あるいは呼出エリアの指定と、指定したエリアに固有の指定トーンとを関連して記憶する。メモリ３０５は、ＰＨＳ端末毎に移動先となる特定の呼出エリアあるいはＣＳをＰＢＸに指定するための識別に使用する特番情報であって、登録用特番と解除用特番からなる。図２にその記憶内容を示す。このうち、メモリ３０１、メモリ３０２、メモリ３０３、メモリ３０５は、保守端末６より記憶装置３に設定されるものとする。これに対して、メモリ３０４は、ＰＨＳ端末により記憶装置３に設定されるものとする。
【００１７】
次に、図３のフローチャートを参照して本実施の形態の全体の動作について詳細に説明する。
【００１８】
最初に、保守端末６から、メモリ３０１とメモリ３０２に呼出エリアに関するエリア情報とダイヤルトーンを登録する。メモリ３０１には、ＣＳ毎に呼出エリアを登録することで任意のエリアを指定し、次にメモリ３０２に設定した呼出エリアにそれぞれ固有のダイヤルトーンを指定することで登録を完了する。メモリ３０３には、ＣＳ毎に固有のダイヤルトーンを設定する。ＣＳ毎の狭い範囲で接続試験を行うエリアにおいては、対応するＣＳに固有のダイヤルトーンを指定し、呼出エリアのような広い範囲で接続試験を行う際には、当該呼出エリアに収容されるＣＳにはダイヤルトーンを指定しない。
【００１９】
次に、ＰＨＳ端末５からの所在位置の確認要求をＰＢＸにて受け付け、該当する指定トーンをＰＨＳ端末５へ送出動作について説明する。
【００２０】
ＰＨＳ端末５からの所在位置の確認要求については、種々の態様が考えられ、ＰＢＸにて後述する制御プログラムを起動するに足りる要求信号であればよい。例えば、オフフック信号あるいは予め定義された特番ダイヤル等が考えられる。以下に、ＰＨＳ端末５からの所在位置確認要求に対する指定トーンの送出について、ＣＳ接続試験を目的とした場合を例に説明する。
【００２１】
ＰＨＳ端末５の使用者は、ＰＢＸ敷地内を移動し、自己の発意の下、任意のエリアにて特番ダイヤルあるいはオフフック操作を行う。
【００２２】
この要求信号は、ＣＳ４を介してＰＢＸが受信し、エリア管理メモリ３０１から、ＣＳ４が収容される呼出エリアとＣＳ番号を読み出す（ステップＡ１）。読み出したＣＳ番号に基づき、ＣＳ４に設定された固有のダイヤルトーンをＣＳ別ダイヤルトーンメモリ３０３から読み出し（ステップＡ２）、当該ＣＳ４に対するトーンの登録の有無をチェックする（ステップＡ３）。登録がある場合には登録されているダイヤルトーンをＰＨＳ端末５に対して接続する（ステップＡ５）。
【００２３】
ＣＳ別ダイヤルトーンメモリ３０３に登録がない場合には、エリア別管理メモリ３０１より読み出した呼出エリア番号に基づき、エリア別ダイヤルトーンメモリ３０２を読み出し（ステップＡ４）、ダイヤルトーンの登録の有無をチェックする（ステップＡ６）。登録されたダイヤルトーンがあれば、当該ダイヤルトーンをＰＨＳ端末５に対して接続する（スップＡ８）。登録がない場合には、通常のダイヤルトーンを接続する（ステップＡ７）。
【００２４】
このように、保守端末の操作に基づき任意のエリアを設定することができるため、フレキシブルな接続試験を行うことができる。また、ＰＨＳ端末の使用者の発意の下に所在確認が行えるため、従来のような自動着信による煩わしさもなく、既存の構内交換システムに容易に組み込むことができる。
【００２５】
次に、ＰＨＳ端末から接続試験を行うエリアを指定し、接続試験を実行する動作について図４及び図５を用いて説明する。
【００２６】
最初に、ＰＨＳ端末５から、接続試験を行うエリアの指定及び登録をＰＢＸに対して行う動作について図５を用いて説明する。また、エリアの登録及び削除の要求をＰＢＸにて認識できるように、登録用特番と解除用特番が保守端末６から特番メモリ３０５に登録されているものとする。
【００２７】
ＰＨＳ端末５から送信された特番ダイヤル情報は、ＰＢＸにて受信される。ＰＢＸは、この特番ダイヤル情報とを比較し（ステップＣ１，Ｃ２，Ｃ３）、登録要求であるか削除要求であるかを判断する。ダイヤル情報が登録用特番ならば、以降のダイヤル情報を各登録情報とし、ダイヤル番号の待ち状態とする。ＰＨＳ端末５から続いて入力されたダイヤル情報は、最初のダイヤル２桁を指定された呼出エリアとし、その次の３桁を指定ＣＳ番号とし、最後の２桁をトーン指定としてＰＨＳ別ダイヤルトーンメモリ３０４に登録する（ステップＣ８）。呼出エリアの指定なしでＣＳのみを指定する場合には、任意のＣＳを登録し、呼出エリアを指定する場合にはＣＳを登録しないで呼出エリアを登録することとなる。
【００２８】
また、特番ダイヤル情報が解除用特番と一致した場合には、メモリ３０４上における当該領域をクリアする（ステップＣ４）。登録でも削除でもない場合には、通常発信処理を行う（ステップＣ５）。
【００２９】
上記登録手順によりＰＨＳ端末５から所在確認の要求信号が発信された場合、ＰＢＸでは図５に示す制御プログラムが起動する。
【００３０】
ＰＢＸは、エリア管理メモリ３０１からＣＳ４のＣＳ番号を読み出す（ステップＢ１）。次に、ＰＨＳ端末５の番号に基づきＰＨＳ別ダイヤルトーンメモリ３０４を呼び出し（ステップＢ２）、登録されたＣＳ番号と当該要求信号を受信したＣＳとが一致するか比較する（ステップＢ３）。一致した場合には、登録されている指定トーンをＰＨＳ端末５に対して接続する（ステップＢ５）。一致しない場合には、ＰＨＳ端末番号より指定エリアトーンメモリ３０４を呼び出し（ステップＢ４）、呼び出しエリア番号を比較する（ステップＢ６）。一致した場合には、登録されているトーンをＰＨＳ端末５に対して接続する（ステップＢ７）。一致しない場合には、図３に示す処理と同様な処理を行う（ステップＢ８）。
【００３１】
このように、ＰＨＳ端末５から、移動先あるいはＣＳ・呼出エリアの接続確認等の指定を容易に行うことができることから、より柔軟に接続試験を行うことができる。
【００３２】
【発明の効果】
以上、本発明によれば、構内交換システムにおいて管轄される領域において任意のエリアを指定した所在位置の確認を容易に行うことができるため、例えば接続試験等を行う際、フレキシブルな試験を可能とする。
【００３３】
また、ＰＨＳ端末に特別の制御プログラムを追加するなど必要とせずに、ＰＢＸ側の制御プログラムのみで所在位置を容易に確認することができる。
【００３４】
更に、ＰＨＳ端末の使用者が必要な時に必要な場所で所在確認を行うことができる。
【図面の簡単な説明】
【図１】本発明の実施の形態の構成を示すブロック図である。
【図２】記憶装置に格納される各メモリ構成図である。
【図３】所在位置の確認動作を示す流れ図である。
【図４】ＰＨＳ端末から移動先の登録後における所在位置の確認動作を示す流れ図である。
【図５】ＰＨＳ端末からの移動先の登録・解除の動作手順を示す流れ図である。
【符号の説明】
１  通話路制御装置
２  中央処理装置
３  記憶装置
４  無線基地局
５  ＰＨＳ端末
６  保守端末（ＰＣ）
３０１  エリア管理メモリ
３０２  エリア別ダイヤルトーンメモリ
３０３  ＣＳ別ダイヤルトーンメモリ
３０４  ＰＨＳ別ダイヤルトーンメモリ
３０５  特番メモリ
【図１】
0003636992.tif 000002
【図２】
0003636992.tif 000003
【図３】
0003636992.tif 000004
【図４】
0003636992.tif 000005
【図５】
0003636992.tif 000006